(57)【特許請求の範囲】
【請求項１】
上下の積層位置に配置された上側及び下側キャリッジ上の２枚のディスクをイジェクト位置から再生位置へストック位置を介して直線的に移動させる移動機構と、前記再生位置に移動された前記ディスクをピックアップのターンテーブルに載置させるリフト機構と、前記移動機構と前記リフト機構とを一つの駆動源で作動して駆動制御する１個のマスターカムを含む動力伝達機構とを備え、前記各キャリッジのローディング、チェンジ及び昇降の各モードを、上記マスターカムの正回転と逆回転で行うように構成したことを特徴とするディスクプレーヤ。
【請求項２】
前記マスターカムの回転領域には、該マスターカムの正回転により、上側キャリッジのイジェクト位置から再生位置へのローディング、下側キャリッジの再生位置からの上昇、下側キャリッジの再生位置からイジェクト位置への戻り動作及び上側キャリッジの再生位置への下降の各動作を行う手段が設けられ、該手段は上記マスターカムの逆回転により、上側キャリッジの再生位置からの上昇、下側キャリッジのイジェクト位置から再生位置へのローディング、下側キャリッジの再生位置への下降及び上側キャリッジの再生位置からイジェクト位置への戻しの各動作を行うことを特徴とする請求項１記載のディスクプレーヤ。
【請求項３】
前記手段は前記マスターカムの正回転による各動作を前記記載の順序で行うように配設されていることにより、マスターカムの逆回転により上記各動作を上記順序とは逆の順序で行うように構成したことを特徴とする請求項２記載のディスクプレーヤ。
【請求項４】
前記上側及び下側キャリッジをディスクプレーヤから引き出すためのドロアの上部ケーシングを、上方に開閉可能に構成したことを特徴とする請求項１記載のディスクプレーヤ。
【発明の詳細な説明】
【０００１】
【発明の属する技術分野】
本発明は、コンパクトディスク、レーザディスクなどの円盤状記録媒体から信号を再生する装置に係わり、より具体的には２枚のディスクを装着できるディスク再生装置内でのディスクの移動機構に関する。
【０００２】
【従来の技術】
１枚のディスクの再生を終了するごとにディスクを入れ替える煩わしさがなく、次のディスクとの交換が自動的に短時間で行われ、また装着したディスクが選択でき再生の自由度が広げられることから少なくとも２枚のディスクが装着できれば、先行のディスクを再生中に後続のディスクを装着することができるから、事実上複数枚のディスクを切れ目なく連続的に再生するには、２枚のディスクが装着できるディスクプレーヤが要求される。ところで、従来の２枚のディスクが装着できるディスクプレーヤでは、例えば、特開平３−２１４４５８号、特開平６−１９５８３８号、特公平９−２６３２０７５号などに開示されているように、横並びに配置した２枚のディスク間にピックアップすなわち再生ユニットを移動させて選択的に再生動作を行うようになっている。
【０００３】
しかしながら、ディスクを横並びとしたことで、装置の幅が単一のディスクプレーヤの２倍以上となり、また重量のある再生ユニットを移動させることで、相応の動力が必要となり機構が大型化しかつ複雑化する。このため、３枚のディスクが装着できるディスクプレーヤと大きさも価格も大差がなくなり、２枚収容可能なディスクプレーヤの存在意義が薄れてくる。
【０００４】
そこで本発明の目的は、単一のディスクプレーヤと寸法的にも価格的にも殆ど変わらず、２枚のディスクが収容できるプレーヤを提供することである。そして、収容されている２枚のディスクの１枚を再生中に、他の１枚のディスクが取出しまたは交換を可能にし、待ち時間を要することなく逐次再生を行うことができるようにすることである。さらには小形化、低価格化、高速化のために、１個のモータで２枚のディスクの装着から排出に到る総ての動作を継続させて円滑に行うことができるようにすることである。
【０００５】
【課題を解決するための手段】
上記の目的を達成するために、本発明に係わるディスクプレーヤは、上下の積層位置に配置された上側及び下側キャリッジ上の２枚のディスクをイジェクト位置から再生位置へストック位置を介して直線的に移動させる移動機構と、前記再生位置に移動された前記ディスクをピックアップのターンテーブルに載置させるリフト機構と、前記移動機構と前記リフト機構とを一つの駆動源で作動して駆動制御する１個のマスターカムを含む動力伝達機構とを備え、前記各キャリッジのローディング、チェンジ及び昇降の各モードを、上記マスターカムの正回転と逆回転で行うように構成した。
【０００６】
【発明の実施の形態】
以下、本発明に係わるディスクプレーヤの実施の形態を第１実施例の図面に基づいて説明する。図１および図２は第１実施例のディスクプレーヤ１０を図示した平面図で、ディスク５０ａ，５０ｂは上側キャリッジ１２または下側キャリッジ１３にそれぞれ載置されて１個のドロア１４によりディスクプレーヤ１０から出し入れすることができる。図１には、ドロア１４がディスクプレーヤ１０から最も外側に引き出されたイジェクト位置Ｐ１と、ディスクプレーヤ１０内に収容されたストック位置Ｐ２とが示してある。説明の都合上、イジェクト位置Ｐ１側をディスクプレーヤ１０の前面Ｆとする。
【０００７】
ドロア１４の枠内には上下のキャリッジ１２，１３と係合してそれぞれを長手方向に沿って互に逆方向に往復直線移動させる上下２段のスライダ１５，１６が配設され、上下２段の各スライダ１５，１６の前側に位置する下面からそれぞれ２本ずつ突出させた連結ピン１７，１８にキャリッジ１２，１３の対応位置に穿設した連結孔１９，２０がいずれも下方から係合して、キャリッジ１２，１３は１対１で対をなして対応するスライダ１５，１６とともに直線移動する。すなわち、必ず上段のスライダ１５には上側キャリッジ１２が係合し、下段のスライダ１６には下側キャリッジ１３が係合して、後述するようにキャリッジ１２，１３がスライダ１５，１６との係合を一旦解除して再係合するときに係合相手が入れ替わることはない。
【０００８】
また、図２に示されるようにドロア１４の移動方向の片側には縁辺部に沿って３個の同径ピニオン２１，２２，２３による歯車列２４が枢支されており、図３に示されるように最も後部に位置する駆動ピニオン２１にはクラッチ溝２５が直径方向に設けられて、図４に明示されているガイドレール２６が摺動自在に挿通される。従ってドロア１４が直線移動するとき、駆動ピニオン２１はガイドレール２６に跨がった状態で一緒に移動する。この間は駆動ピニオン２１はガイドレール２６に拘束されて回転しないので噛合する中間ピニオン２２および連動ピニオン２３は回転しない。
【０００９】
上段および下段のスライダ１５，１６のそれぞれにラック２７，２８が着設され、歯車列２４の中間ピニオン２２には上段のラック２７が噛合し、駆動ピニオン２１および連動ピニオン２３には下段のラック２８が噛合している。ドロア１４がイジェクト位置Ｐ１とストック位置Ｐ２の間を直線移動する間は、クラッチ溝２５とガイドレール２６との係合が維持されて駆動ピニオン２１の回転は拘束されスライダ１５，１６の相対位置が変化することはない。歯車列２４、ガイドレール２６およびラック２７，２８の関係を図５に模式的に斜視図で示す。
【００１０】
図５によれば、ガイドレール２６には中断部分２９が設けられ、この中断部分２９を補完するように、後述するキャリッジ駆動部３０のスライダ移動ピニオン３１から咬合クラッチ板３２が延在している。ドロア１４を省略して平面図示した図２から明らかなように、ドロア１４がディスクプレーヤ１０の内のストック位置Ｐ２にあるとき、ガイドレール２６上を摺動する駆動ピニオン２１は中断部分２９で停止するので、駆動ピニオンのクラッチ溝２５に咬合クラッチ板３２が挟入されてクラッチ結合が達成される。
【００１１】
従って、ドロア１４がストック位置Ｐ２にあるときだけ上記したクラッチ結合が達成されて、駆動ピニオン２１はスライダ移動ピニオン３１に連動して回転し、ピニオンの歯車列２４に噛合するラック２７，２８を介してスライダ１５，１６を移動させることができる。駆動ピニオン２１と中間ピニオン２２とは互いに逆方向に回転し、駆動ピニオン２１と連動ピニオン２３とは同方向に回転するので、スライダ１５，１６同士は互いに逆方向に往復直線移動して前後の位置が入替えられる。
【００１２】
そこで、ドロア１４がイジェクト位置Ｐ１に引出されるとき、上下２段のスライダ１５，１６のいずれか一方は必ず往復直線移動の最前端にあり、他方は最後端に位置したままの状態を維持している。結局、ドロア１４の枠内でディスクプレーヤ１０の外部に臨むのは、スライダ１５，１６のうちのいずれか一方のみであって、ドロア１４とともに外部に引出されたいずれかのスライダが連結しているキャリッジに対してディスクの載置または交換が行われる。このように引出しの途中またはイジェクト位置Ｐ１においては、駆動ピニオン２１はスライダ移動ピニオン３１とのクラッチ結合位置から離れガイドレール２６に回転が抑止されているので、スライダ１５，１６の位置を入替えることはできない。
【００１３】
図１および図２において、３５はストック位置Ｐ２のディスクが送入される再生位置を含み、再生位置のディスクをターンテーブルに載置してディスクに記録された情報を再生するディスク再生部で、上部には公知のマグネット３６によるディスククランパ３７がリフト３８の上面フレーム３９の中央部に、上方に僅かな自由度が許容された状態で軽く拘束を受けて支持されており（図９参照）、キャリッジ駆動部３０から操作されるリフト３８とともに昇降自在である。図６および図７に示されるように、リフト３８の側面には内側に突出させて２段の棚４０，４１が設けられ、図６に示されるように、上段の棚４０は上段のスライダ１５の下面に突出する２本の連結ピン１７に係合して搬送されてきた上側キャリッジ１２を収容する。下段の棚４１は下段のスライダ１６の下面に突出する２本の連結ピン１８に係合してに搬送されてくる下側キャリッジ１３を収容する（図１１参照）。
【００１４】
リフト３８は昇降移動の上限位置Ｈ１に位置するとき、図８に明示されるようなリフト３８の側面に設けたガイド溝４２がドロア１４から内側に突出させた凸部４３と係合してドロア１４の直線移動を阻止するので、スライダ１５，１６の位置の入替えの間ドロア１４は確実に固定され、スライダ１５，１６の位置の入替えは円滑に行われる。従って、ドロア１４が凸部４３によるリフト３８との係合を解除してディスクプレーヤ１０の外部に引出せるのは、リフト３８がスライダ１５，１６のいずれかから受容したキャリッジ１２，１３のいずれかを伴って下限位置Ｈ２にあるときのみであって、途中でキャリッジ１２，１３が入替えられる機会はない。従って、同じキャリッジが異なるディスクを２度搬送することはない。
【００１５】
図７、図８および図９に示すようにディスク再生部３５にはピックアップ移送機構５４とターンテーブル４６が振動防止用のダンパ４７を介してディスクプレーヤ１０のシャーシ４８に支持されている。キャリッジ１３により搬入され、図９に示されるようにターンテーブル４６に支持されてディスククランパ３７によりセットされたディスク５０ｂは、ターンテーブル４６に直結されたスピンドルモータ５１により高速で回転駆動される。キャリッジ１２により搬入されるディスク５０ａについても同様である。
【００１６】
図１および図２から明らかなようにキャリッジ１２，１３にはピックアップ４５およびターンテーブル４６が臨出するための開口部４９が設けられている。ピックアップ４５が、ピックアップ制御モータ５３で駆動される移送機構５４に連繋されて、ターンテーブル４６に支持されて高速回転しているディスク５０ａまたはディスク５０ｂの半径方向に移動し、開口部４９を介してディスク５０ａまたはディスク５０ｂに記録された信号を再生する機構が図４および図１２に示されているが、従来技術として公知であるので説明を省略する。
【００１７】
図１０から明らかなように、リフト３８は、レバー５５の後端部分に前後方向に僅かな自由度を設けて揺動自在に枢支され、側面に凹設した摺動溝５６にシャーシ４８に凸設したガイドリブ５７が嵌入して、リフト３８をターンテーブル４６の回転面に対して垂直な方向に、上限位置Ｈ１と下限位置Ｈ２との間を途中で停止することなく上昇しまたは下降する。レバー５５は支点５８に枢支され、後述するマスターカム６０の側面に凸設され上下方向に滑らかに連続するカム面６１を前端部に形成したカムフォロア５９で上下から挟持してマスターカム６０の回転に追動し、後端部分に連繋されているリフト３８を継続的に昇降させ、かつ上限位置Ｈ１と下限位置Ｈ２とで停止させるように構成される。
【００１８】
図１１は、下段のスライダ１６が搬送してきた下側キャリッジ１３をリフト３８の下段の棚４１が受容して、下側キャリッジ１３を下限位置Ｈ２まで移動した状態の図示で、下側キャリッジ１３は、下降の最初に連結ピン１８との係合を解き、下降の途中でディスク５０ｂをターンテーブル４６上に載置すると、再係合時の位置を整合させるため、シャーシ４８上に立設させた位置決めピン６２に対応させて設けた嵌合孔６３を挿通させる。
【００１９】
リフト３８が下限位置Ｈ２まで下降するとき、キャリッジ１３の上面に載置されて下降してきたディスク５０ｂはターンテーブル４６により下降が阻止されるので、キャリッジ１３の上面はディスク５０ｂの下面から離間する。下降が阻止されてターンテーブル４６に支持されているディスク５０ｂは、リフト３８が下限位置Ｈ２に達したとき、ディスククランパ３７により公知の手段でターンテーブル４６上にセットされる（図９参照）。キャリッジ１２に搬送されるディスク５０ａについても同様である。
【００２０】
次にキャリッジ駆動部３０を平面図示した図１２に沿って説明する。上記したキャリッジ１２，１３の水平移動および垂直移動を制御する、カムと歯車の複合体であるマスターカム６０は、１個の駆動モータ６５の外周に固設された円筒６６に回転自在に支持されている。駆動モータ６５の出力軸６７に直結された原動プーリ６８とディスクプレーヤ１０の前方左側に位置する従動プーリ６９とがベルト７０によって連結され（図４参照）、従動プーリ６９と同軸で一体に回転する原動ピニオン７１が減速歯車対７２の大歯車７３に噛合して小歯車７４をマスターカム６０の外歯７５に噛合させ、約２７０度の範囲でマスターカム６０を時計方向または反時計方向に正逆旋回させる（図６参照）。
【００２１】
マスターカム６０が約２７０度の間を１方向に旋回する間に、図１４〜図１９に図示されるように、上側キャリッジ１２がイジェクト位置Ｐ１からストック位置Ｐ２に移動して待機し、再生位置にあった下側キャリッジ１３を上昇させると上側キャリッジ１２との前後の位置を入替え、最終的に上側キャリッジ１２を再生位置にクランプして下側キャリッジ１３をイジェクト位置Ｐ１に移動して一連の動作が完結する。駆動モータ６５を逆転させると、上記の移動過程を逆にたどって下側キャリッジ１３が再生位置にあって上側キャリッジ１２がイジェクト位置Ｐ１に移動する最初の状態に戻すことができる。図中、実線矢印はマスターカム６０が反時計方向に回転しているときのキャリッジ移動方向で、破線矢印はマスターカム６０が時計方向に回転しているときのキャリッジ移動方向である。
【００２２】
次に上記キャリッジ１２，１３の移動過程を、図２０〜図２７に示したマスターカム６０の旋回角度位置と対比させて説明する。図中実線矢印はマスターカム６０の反時計方向の回転を示し、破線矢印は時計方向の回転を示す。図２０および図２１では反時計方向に旋回するマスターカム６０の欠歯内歯歯車７６がドロア作動歯車対７７の中歯車７８に噛合して大歯車７９に噛合するドロア連動ピニオン８０を旋回させる。ドロア連動ピニオン８０は同軸で一体のドロア作動歯車６４がドロア１４に着設したドロア連動ラック８１（図４参照）に噛合してドロア１４をイジェクト位置Ｐ１からストック位置Ｐ２に移動する。これは図１４から図１５への移行に相当する。ただし、ドロア作動歯車６４は図面が複雑になるのを避けるため、図２０〜図２７では図示を省略してある。
【００２３】
ドロア作動歯車対７７から突出して回転制御カム溝８２に嵌入しているドロア制御ピン８３は、マスターカム６０とドロア作動歯車対７７の回転に伴うマスターカム６０との相対位置の変化に倣ってドロア作動歯車対７７の回転に干渉しないように設けた回転制御カム溝８２の軌道部分８２ａに沿って回動する。図２１において、マスターカムの内歯歯車７６が通過して内歯欠歯部分７６０となり、中歯車７８と内歯歯車７６との噛合が解除されてドロア作動歯車対７７が自由になる位置からは、回転制御カム溝８２はマスターカム６０の回転中心から同一半径の円弧に形成された軌道部分８２ｂに入るので、マスターカム６０の旋回にも拘らず、回転制御カム溝の軌道部分８２ｂに嵌入しているドロア制御ピン８３によってドロア作動歯車対７７は回転が阻止されたまま保持される。
【００２４】
従って、ドロア作動歯車対７７に連動するドロア連動ピニオン８０は回転が阻止されて、噛合するドロア連動ラック８１はドロア１４をストック位置Ｐ２に拘束状態にする。このストック位置Ｐ２において、ドロア１４に配設されている駆動ピニオン２１はガイドレール２６の中断部分２９に位置しており、キャリッジ駆動部３０のスライダ移動ピニオン３１から延在して結合面をガイドレール２６の摺接面に整合させて停止状態にある咬合クラッチ板３２と軸線を整合させてクラッチ結合する。
【００２５】
咬合クラッチ板３２を制御するスライダ移動ピニオン３１は、スライダ作動歯車対８４の大歯車３３からアイドル歯車８５を介して駆動されるが、図２０〜図２２ではスライダ作動歯車対８４から突出して回転制御カム溝８２に嵌入しているスライダ制御ピン８８が、回転制御カム溝８２においてマスターカム６０の回転中心から同一半径の円弧に形成されている部分８２ｂに位置して回転が阻止され拘束状態にある。この位置は咬合クラッチ板３２の結合面が丁度ガイドレール２６の摺接面に整合する位置に対応させてある。
【００２６】
図２１から図２２に移行する過程おいて、図１０に図示されるマスターカム側面に設けたカム面６１に追動するレバー５５の作用によるリフト３８の上昇が行われ、ディスククランパ３７はディスク５０ｂを解放し、下側キャリッジ１３はディスク５０ｂを下から支えて上昇する（図１６（ａ）参照）。リフト３８は上限位置Ｈ１において、側面のガイド溝４２がドロア１４の凸部４３に係合してドロア１４の移動を拘束する（図８参照）。下側キャリッジ１３の面は下段のスライダ１６による移動面に整合して下側キャリッジ１３の連結孔２０が下段のスライダ１６の連結ピン１８に嵌合し、下側キャリッジ１３は下段のスライダ１６と結合状態となる（図１６（ｂ）参照）。
【００２７】
図２３および図２４において、扇形歯車８９がスライダ作動歯車対８４の小歯車９０と噛合する。スライダ作動歯車対８４から突出して回転制御カム溝８２に嵌入しているスライダ制御ピン８８は、マスターカム６０とスライダ作動歯車対８４の回転に伴うマスターカム６０との相対位置の変化に倣ってスライダ作動歯車対８４の回転に干渉しないように設けた回転制御カム溝８２の軌道部分８２ｃに沿って回動する。軌道部分８２ｃの最初の部分８２ｃｅは、スライダ制御ピン８８を積極的に回動させて、小歯車９０，９１の欠歯部分９２から扇形歯車８９との噛合への移行が円滑かつ確実に行われることを保証する。
【００２８】
このスライダ作動歯車対８４の回動は大歯車３３からアイドル歯車８５を介してスライダ移動ピニオン３１に伝達され、上記したドロア１４に設けた歯車列２４の作用で、図１７（ａ）および図１７（ｂ）に示されるように、スライダ１５，１６は前後の位置を入替え、下段のスライダ１６がリフト３８の下段の棚４１から下側キャリッジ１３を前方へ引出し、上段のスライダ１５がリフト３８の上段の棚４０へ上側キャリッジ１２を収納する。そして、後続させて設けたマスターカム６０の回転中心から同一半径の円弧に形成された軌道部分８２ｄは、結合面がガイドレール２６の摺接面に整合する位置に拘束されるように形成されている。またこのとき、スライダ作動歯車対８４の中歯車８６は内歯歯車７６が形成されているマスターカム６０の内面側に中歯車の欠歯部分８７が対向するので、マスターカム６０の回動で旋回してきた内歯歯車７６がスライダ作動歯車対の中歯車８６に噛合して駆動ピニオン２１に回転を伝達することはない。
【００２９】
図２５から図２６に移行する過程おいて、マスターカム６０の側面に設けたカム面に追動するレバー５５の作用でリフト３８の下降が行われ、ドロアの凸部４３とリフトのガイド溝４２との係合は解除される。この下降で上側キャリッジ１２の連結孔１９は嵌合している上段のスライダ１５の連結ピン１７から離間して、上側キャリッジ１２はディスク５０ａを支持して下降し（図１７（ｃ）参照）、ディスク５０ａの支持をターンテーブル４６と交替するとディスク５０ａの下面から離間する。リフト３８の下限位置Ｈ２において、ディスククランパ３７はディスク５０ａをターンテーブル４６にセットする（図１８参照）。
【００３０】
図２７において扇形歯車８９はドロア作動歯車対７７の小歯車９１に噛合する。ドロア制御ピン８３はスライダ制御ピン８８と同様に作用し、扇形歯車８９と対をなして設けられた軌道部分８２ｃｅ，８２ｃに沿って回動する。上記したように軌道部分８２ｃｅは小歯車９１の欠歯部分９２を移動して扇形歯車８９との噛合を達成するように機能し、軌道部分８２ｃはマスターカム６０との相対位置の変化に倣ってドロア作動歯車対７７の回転に干渉しないように機能する回転制御カム溝８２の部分である。ドロア作動歯車対７７の時計方向の回転はドロア連動ピニオン８０を反時計回転させて、噛合するドロア連動ラック８１を駆動してドロア１４をイジェクト位置Ｐ１に移動する（図１９（ａ）および図１９（ｂ）参照）。
【００３１】
このときガイドレール２６が駆動ピニオン２１の回転を拘束するので、駆動ピニオン２１に噛合している下段のラック２８を着設した下段のスライダ１６および中間ピニオン２２に噛合している上段のラック２７を着設した上段のスライダ１５とはドロア１４との相対位置が固定されたまま、ともにイジェクト位置Ｐ１に移動する。イジェクト位置Ｐ１において、下段のスライダ１６に連結された下側キャリッジ１３に搭載されているディスク５０ｂはドロア１４の上面に開放された開口９３に臨んでいるので、ドロア１４の上部から取外しまたは交換など取扱いは容易で自由に行うことができる（図１９（ｂ）参照）。
【００３２】
上述の記載から明らかなように、マスターカム６０の回転角度で、ドロア１４の位置がイジェクト位置Ｐ１か、ストック位置Ｐ２か、またスライダ１５，１６の位置の前後関係が判断される。そこで図１３に示すように、リミットスイッチ９４，９５を所要の回転角度に対応させて適当な位置に配設して、各モータ５１，５３，６５および図示しない別設のスイッチ、表示ランプと連動させる。当然装備される、音量調整、頭出し、繰返し、シャッフルなどの再生操作に関する公知の機能については説明を省略する。
【００３３】
次に操作について説明する。通常、使用していないディスクプレーヤ１０は、ドロア１４がストック位置Ｐ２にあって、キャリッジ１２，１３は第１ディスクモード（図１３または図１５参照）または第２ディスクモード（図１８参照）の状態にある。第１ディスクモードでは下側キャリッジ１３がリフト３８とともに下限位置Ｈ２にあり、第２ディスクモードでは上側キャリッジ１２がリフト３８とともに下限位置Ｈ２にある。
【００３４】
また、第１ディスクモードではマスターカム６０は図２１に図示した位置で、また第２ディスクモードではマスターカム６０は図２６に図示した位置でいずれかのリミットスイッチを作動させて停止している。これ以外の位置にあるときは、電源スイッチを入れると、駆動モータ６５が起動していずれかのディスクモードを選択して停止し、停止信号を出したリミットスイッチにより上下キャリッジ１２，１３についていずれのディスクモードにあるかを判別する。このときディスクプレーヤ１０内のディスクの有無が公知の手段で表示される。
【００３５】
ディスクを装填または交換するときは、各ディスクに対応するイジェクトスイッチを操作する。マスターカム６０が第１ディスクモードにあるときは第１のイジェクトスイッチを操作すると、駆動モータ６５は時計回転し、また第２ディスクモードにあるときは第２のイジェクトスイッチを操作すると、駆動モータ６５は反時計回転して、ドロア１４を図１４（ａ）または図１９（ｂ）に示すイジェクト位置Ｐ１に移動させる。ドロア１４の開口９３に臨んでいるキャリッジ１２，１３のいずれかにディスク５０を載置すると、再度イジェクトスイッチを操作して駆動モータ６５の逆転によってドロア１４をストック位置Ｐ２に戻す。
【００３６】
上記したように、電源スイッチを入れたとき、第１ディスクモードまたは第２ディスクモードのいずれかにセットされているから、ディスクモードを変更するときはディスクモードスイッチを操作する。第１ディスクモードから第２ディスクモードへの移行は、図２１から図２６に示すようにマスターカム６０を反時計回転させる。また、第２ディスクモードから第１ディスクモードへの移行はマスターカム６０を時計回転させて、図２６から図２１へ逆行させる。
【００３７】
すなわち、第１ディスクモード（図１５参照）から第２ディスクモード（図１８参照）への移行は、まずリフト３８の上昇でディスククランパ３７が外れてディスク５０ｂがキャリッジ１３に持上げられ（図１６（ａ）参照）、リフト３８が上限位置Ｈ１に達してキャリッジ１３の高さは下段の水平移動面に整合する（図１６（ｂ）参照）。次に上段のスライダ１５と下段のスライダ１６との位置が前後入れ替わり（図１７（ａ）参照）、ディスク５０ａを載置したキャリッジ１２が上限位置Ｈ１に待機するリフト上段の棚４０に挿入される（図１７（ｂ）参照）。それからリフト３８は降下を開始し（図１７（ｃ）参照）、下限位置Ｈ２に到ってディスク５０ａはディスククランパ３７によってターンテーブル４６にセットされる（図１８参照）。
【００３８】
一方、第２ディスクモード（図１８参照）から第１ディスクモード（図１５参照）への移行は、まずリフト３８の上昇でディスククランパ３７が外れてディスク５０ａが上側キャリッジ１２に持上げられ（図１７（ｃ）参照）、リフト３８が上限位置Ｈ１に達して上側キャリッジ１２の高さは上段の水平移動面に整合する（図１７（ｂ）参照）。次に上段のスライダ１５と下段のスライダ１６との位置が前後入れ替わり（図１７（ａ）参照）、ディスク５０ｂを載置した下側キャリッジ１３が上限位置Ｈ１に待機するリフト下段の棚４１に挿入される（図１６（ｂ）参照）。それからリフト３８は降下を開始し（図１６（ａ）参照）、下限位置Ｈ２に到ってディスク５０ｂはディスククランパ３７によってターンテーブル４６にセットされる（図１５参照）。
【００３９】
このように第１または第２のディスクモードを選定した後、所要の再生モードに従って再生操作を行う。図示を省略したが、電源スイッチ、イジェクトスイッチおよびディスクモードスイッチはいずれもディスクプレーヤ１０の適当な位置に配設された押しボタンスイッチで、１回押す毎に回路が切換えられるものを使用すると好適である。
【００４０】
図２８に示す第２実施例では、ディスクプレーヤ１００のドロア１４の上部ケーシング１０１を側板１０２に支軸１０３でヒンジ結合して、上部ケーシング１０１を上方に開閉自在としたもので、ドロア１４を前方に引出さなくても上部ケーシング１０１を開いてストック位置Ｐ２にあるドロア１４の上方からディスクを挿入、取出または交換することができ、ディスクプレーヤ１００の前方に空間的余裕がない場合に好適である。ディスクプレーヤ１００のその他の構成は第１実施例のディスクプレーヤ１０と同様であるから説明を省略する。上記したディスクプレーヤの実施例は、発明の実施の形態を説明するためのものであって、特許請求の範囲に記載の発明を限定するものではない。
【００４１】
【発明の効果】
以上の説明で明らかなように、本発明に係わるディスクプレーヤによれば、単一ディスク用の通常のプレーヤに近い大きさおよび価格で２枚のディスクを収納して再生することができる。しかも、一枚のディスクの再生中に別のディスクの出入れまたは入替えは自由で、次のディスクに対する準備ができるから、ディスク間の移行における中断の時間が少なく、再生（演奏）はほぼ切れ目なく行うことができる。
【００４２】
ディスクにはキャリッジが１対１で対応しているから、再生中のディスクのキャリッジに別のディスクが入って一箇所に重なり、ジャムを誘発してディスクを損傷することが回避できる。従って、これを原因とするユーザクレームは解消できる。また、本発明に係わるディスクプレーヤの機構は、ＣＤ、ＣＤ−ＲＯＭ、ＤＶＤなどのディスクに広く適用することができる。
【図面の簡単な説明】
【図１】本発明に係わるディスクプレーヤにおいてドロアが引出された状態を付加した平面図である。
【図２】本発明に係わるディスクプレーヤをドロアの枠部分を除いて示した平面図である。
【図３】本発明に係わるディスクプレーヤのドロアに配設された歯車列を断面で示す側面図である。
【図４】本発明に係わるディスクプレーヤのキャリッジ駆動部、ドロア連動ラックおよびディスク再生部の関係位置を示す平面図である。
【図５】本発明に係わるディスクプレーヤにおいてドロアに配設された歯車列、スライダのラックおよびガイドレールの関係を示す模式的斜視図である。
【図６】本発明に係わるディスクプレーヤのリフト部分、上段のスライダおよびマスターカムとの関係を一部断面で示す正面図である。
【図７】本発明に係わるディスクプレーヤのリフト部分とディスク再生部のダンパ部分を一部断面で示す正面図である。
【図８】本発明に係わるディスクプレーヤのリフト部分とディスク再生部のダンパ部分を一部断面で示す側面図である。
【図９】本発明に係わるディスクプレーヤのリフト、ディスククランパ、ターンテーブルおよびスピンドルモータの関係を示す正面図である。
【図１０】本発明に係わるディスクプレーヤのリフト、レバーおよびマスターカムの関係を示す側面の断面図である。
【図１１】本発明に係わるディスクプレーヤの下段のスライダ、キャリッジの位置決めピンおよびピックアップ移送機構を示す正面図である。
【図１２】本発明に係わるディスクプレーヤの駆動モータ、マスターカムおよび歯車列の関係を示す平面図である。
【図１３】本発明に係わるディスクプレーヤにおける第１のディスクモードを示す側面図である。
【図１４】本発明に係わるディスクプレーヤの動作を説明する概略の断面図である。
【図１５】本発明に係わるディスクプレーヤの動作を説明する概略の断面図である。
【図１６】本発明に係わるディスクプレーヤの動作を説明する概略の断面図である。
【図１７】本発明に係わるディスクプレーヤの動作を説明する概略の断面図である。
【図１８】本発明に係わるディスクプレーヤの動作を説明する概略の断面図である。
【図１９】本発明に係わるディスクプレーヤの動作を説明する概略の断面図である。
【図２０】本発明に係わるディスクプレーヤにおけるマスターカムおよび歯車列の動作を説明する平面図である。
【図２１】本発明に係わるディスクプレーヤにおけるマスターカムおよび歯車列の動作を説明する平面図である。
【図２２】本発明に係わるディスクプレーヤにおけるマスターカムおよび歯車列の動作を説明する平面図である。
【図２３】本発明に係わるディスクプレーヤにおけるマスターカムおよび歯車列の動作を説明する平面図である。
【図２４】本発明に係わるディスクプレーヤにおけるマスターカムおよび歯車列の動作を説明する平面図である。
【図２５】本発明に係わるディスクプレーヤにおけるマスターカムおよび歯車列の動作を説明する平面図である。
【図２６】本発明に係わるディスクプレーヤにおけるマスターカムおよび歯車列の動作を説明する平面図である。
【図２７】本発明に係わるディスクプレーヤにおけるマスターカムおよび歯車列の動作を説明する平面図である。
【図２８】本発明に係わるディスクプレーヤの第２実施例を示す概略の側面図である。
【符号の説明】
１０  ディスクプレーヤ
１２，１３  キャリッジ
１４  ドロア
１５，１６  スライダ
２４  ピニオン歯車列
２７，２８  ラック
３０  キャリッジ駆動部
３７  ディスククランパ
３８  リフト
４０，４１  キャリッジ収納棚
４５  ピックアップ
４６  ターンテーブル
５０  ディスク
５１  スピンドルモータ
５５  レバー
６０  マスターカム
６５  駆動モータ
【図１】
0003549734.tif 000002
【図２】
0003549734.tif 000003
【図３】
0003549734.tif 000004
【図４】
0003549734.tif 000005
【図５】
0003549734.tif 000006
【図６】
0003549734.tif 000007
【図７】
0003549734.tif 000008
【図８】
0003549734.tif 000009
【図９】
0003549734.tif 000010
【図１０】
0003549734.tif 000011
【図１１】
0003549734.tif 000012
【図１２】
0003549734.tif 000013
【図１３】
0003549734.tif 000014
【図１４】
0003549734.tif 000015
【図１５】
0003549734.tif 000016
【図１６】
0003549734.tif 000017
【図１７】
0003549734.tif 000018
【図１８】
0003549734.tif 000019
【図１９】
0003549734.tif 000020
【図２０】
0003549734.tif 000021
【図２１】
0003549734.tif 000022
【図２２】
0003549734.tif 000023
【図２３】
0003549734.tif 000024
【図２４】
0003549734.tif 000025
【図２５】
0003549734.tif 000026
【図２６】
0003549734.tif 000027
【図２７】
0003549734.tif 000028
【図２８】
0003549734.tif 000029